(57)【特許請求の範囲】
【請求項１】
底板部と該底板部から立設した互いに対向する一対の側壁部を有するキャリッジと、前記キャリッジに固着され、発光素子と受光素子の少なくとも一方を有する光学素子を載置する載置部材とを備え、一対の前記側壁部には切欠部が形成されると共に、前記載置部材には一対の腕部が設けられ、前記載置部材の前記腕部は、前記両側壁部からそれぞれ外方へ延出した状態で、前記切欠部に挿通されると共に、前記腕部は、前記切欠部で前記底板部の板面と直交する方向への移動が所定の範囲内で規制されるようにしたことを特徴とする光ピックアップ装置。
【請求項２】
前記切欠部は、前記底板部と直交する縦切欠溝と前記底板部と略平行な方向の横切欠溝で形成されたＬ字状の切欠溝で構成され、前記縦切欠溝に挿入された前記腕部は、前記横切欠溝に沿ってスライド動作によって挿入されるようにしたことを特徴とする請求項１記載の光ピックアップ装置。
【請求項３】
前記腕部は前記底板部と略平行に延出すると共に、前記腕部の先端部は弧状であることを特徴とする請求項１又は２記載の光ピックアップ装置。
【請求項４】
前記載置部材には固着部を設け、前記底板部には挿通孔が形成され、該挿通孔に前記固着部を挿通し、前記底板部に前記側壁部とは反対側である裏面側から臨出した前記固着部を前記裏面側に固着したことを特徴とする請求項１から３の何れかに記載の光ピックアップ装置。
【請求項５】
前記固着部は金属製であると共に、前記裏面側には回路基板が取付固定され、該回路基板には前記固着部が挿通する貫通孔が形成され、前記回路基板から露出した前記固着部を前記回路基板面にハンダ付けしたことを特徴とする請求項４記載の光ピックアップ装置。
【請求項６】
前記挿通孔の前記側壁部に沿った孔長さは、前記貫通孔の孔長さよりも長くしたことを特徴とする請求項５記載の光ピックアップ装置。
【請求項７】
前記キャリッジは板金からなり、前記側壁部は前記キャリッジの一部を折り曲げた折曲片であることを特徴とする請求項１から３の何れかに記載の光ピックアップ装置。
【請求項８】
請求項１から７の何れかに記載の光ピックアップ装置を備え、前記両側壁部よりも前記キャリッジの外方に延出した前記腕部を治具で挟持して、前記載置部材の位置調整をした後、前記載置部材を前記キャリッジに固着することを特徴とする光ピックアップ装置の組み立て方法。
【請求項９】
前記治具にはＶ字溝が設けられ、前記両腕部の前記先端部に設けられた前記弧状は、前記両腕部の両側に配置された前記治具の前記Ｖ字溝に突き当てられて、２つの前記治具間で挟持されたことを特徴とする請求項８記載の光ピックアップ装置の組み立て方法。
【発明の詳細な説明】
【０００１】
【発明の属する技術分野】
本発明は、光ディスク装置に用いられ光ディスクの記録または再生を行う光ピックアップ装置及びその組み立て方法に関する。
【０００２】
【従来の技術】
図７は従来の光ピックアップ装置２０の斜視図である。光ピックアップ装置２０は、主として、プレス加工により形成される板金からなるキャリッジ２１と、キャリッジ２１に取付固定される対物レンズ２２ａを備えた二軸アクチュエータ２２と、対物レンズ２２ａにビームスプリッター３０とコリメータレンズ２３と反射ミラー２４を通じてレーザ光を出射し、また対物レンズ２２ａからの戻り光を入射するＤＶＤ（デジタル・バーサタイル・ディスク  又は  デジタル・ビデオ・ディスク）用の光学素子すなわち投受光素子２５及びＣＤ（コンパクト・ディスク）用の光学素子すなわち投受光素子３１と、投受光素子２５、３１をそれぞれ保持する略長方形状のホルダー２６、及び載置部材であるホルダー３２とから構成されている。
【０００３】
キャリッジ２１は、湾曲部２１ａと突出部２１ｂとを一部有する略長方形をした底板部２１ｃと、底板部２１ｃの長手方向の両縁に沿って、それぞれ対向立設させた第１の側壁部２１ｄ、第２の側壁部２１ｅと、該突出部２１ｂより底板部２１ｃの長手方向に沿って立設した第３の側壁部２１ｆと、から構成されている。第１、第２の側壁部２１ｄ、２１ｅの一端は、底板部２１ｃから突き出しており、その先端には、それぞれ、第１の切欠溝２１ｇと、第２の切欠溝２１ｈが形成されている。
【０００４】
また、第１の側壁部２１ｄにおける第１の切欠溝２１ｇを形成した一端とは反対側の端部と、第３の側壁部２１ｆには、貫通した丸孔２１ｉ、２１ｉがそれぞれ形成されている。
【０００５】
次に、底板部２１ｃの略中央部には、略方形状の開口部２１ｊが形成されていて、この開口部２１ｊの底板部２１ｃに対して長手方向の縁部には、一対の突設部２１ｋ、２１ｋを対向配置させて形成してある。
【０００６】
一方、底板部２１ｃの湾曲部２１ａに隣接して、第１の折曲片２１ｍが立設されている。また、第１の側壁部２１ｄで第１の折曲片２１ｍと対向する位置の上端部には略三角状の折り曲げ部２１ｎを設けてあり、折り曲げ部２１ｎには第２の折曲片２１ｏが形成されている。
【０００７】
また、底板部２１ｃには、長手方向で丸孔２１ｉ、２１ｉとは反対方向の端部に、短手方向に沿って立設した一対の第３の折曲片２１ｑ、２１ｑが所定の間隔で形成されている。さらに、第１、第２の側壁部２１ｄ、２１ｅにおいて、それぞれ第２の折曲片２１ｏ及び第１の折曲片２１ｍと、第３の折曲片２１ｑ、２１ｑとの間のぼぼ中央の上端からは上方に突出した一対の凸部２１ｒ、２１ｒが形成されている。
【０００８】
次に、コリメータレンズ２３は投受光素子２５又は３１より出射されたレーザ光の出射角度を略平行光にするためのレンズであり、突設部２１ｋ、２１ｋの対向面となる側壁面間に配置され樹脂接着剤を用いて取付固定されている。
【０００９】
一方、反射ミラー２４は、そのミラー面２４ａにおいて、投受光素子２５又は３１より出射されたレーザ光を対物レンズ２２ａの光軸方向に反射するものである。反射ミラー２４は底板部２１ｃに対して略４５度の角度をなして突設部２１ｋ、２１ｋの対向面となる側壁面間に配置され樹脂接着剤を用いて取付固定されている。
【００１０】
また、ビームスプリッター３０は、三角柱状の光学ガラス又は樹脂（図示せず）を２個貼り合わせて直方体状に構成した光学部材である。その貼り合わせ面には波長選択機能を有する光学薄膜（ダイクロイック膜）が積層コーティングされている。このダイクロイック膜は、ＣＤ用のレーザ光を反射し、ＤＶＤ用のレーザ光を透過するように形成されている。そして、ビームスプリッター３０は、キャリッジ２１の底板部２１ｃにコリメータレンズ２３の光軸上に位置するように配置され、樹脂接着剤を用いて取付け固定されている。
【００１１】
次に、二軸アクチュエータ２２は、主として、二軸ベース２２ｂと、この二軸ベース２２ｂに取付固定した取付部２２ｃと、対物レンズ２２ａが固着されたレンズホルダー２２ｅと、このレンズホルダー２２ｅに一体化したヨーク２２ｆとから構成されている。そして、取付部２２ｃには４本のサスペンションワイヤー２２ｄの一方の端部が固定され、他方の端部はレンズホルダー２２ｅに固定されることによって、レンズホルダー２２ｅは取付部２２ｃに対して可撓性をもって保持されている。
【００１２】
また、二軸ベース２２ｂには、略対称的に立設した一対の取付片２２ｇ、２２ｇを形成してある。該取付片２２ｇ、２２ｇがキャリッジ２１に形成した第１、第２の折曲片２１ｍ、２１ｏとそれぞれ対向するように二軸アクチュエータ２２をキャリッジ２１に取り付けてあり、この状態で樹脂接着剤あるいはハンダ付けなどによって固定される。
【００１３】
次に、ＤＶＤ用の投受光素子２５は本体２５ａと、この本体２５ａと一体的に組み立てられた鍔状のステム部２５ｂが形成されていて、この本体２５ａ内には主に図示しないレーザダイオードなどの発光素子及びフォトダイオードなどの受光素子が収納されている。さらに、ステム部２５ｂの後部には発光素子及び受光素子の端子２５ｃが外方（図７中、手前方向）に複数本突き出している。
【００１４】
また、本体２５ａの前面には、発光素子から出射されたレーザ光を透過し、光ディスクからの戻り光を受光素子に導くためのホログラム素子２５ｄが接着剤により固着されている。そして、投受光素子２５はそのステム部２５ｂがホルダー２６のほぼ中央に設けたステム部２５ｂと同形状の貫通孔に圧入されることによって、ホルダー２６に保持されている。ホルダー２６の左右両端部は、キャリッジ２１に立設した第３の折曲片２１ｑ、２１ｑとのそれぞれの対向面において所定の隙間を設けて取り付けられ、樹脂接着剤あるいはハンダ付けなどにより固定される。
【００１５】
次に、ＣＤ用の投受光素子３１は本体３１ａと、この本体３１ａの前面（図中下面側）に取付固定したホログラム素子３１ｂ（図９参照）から構成されており、この本体３１ａ内には主に図示しないレーザダイオードなどの発光素子及びフォトダイオードなどの受光素子が収納されている。さらに、本体３１ａの上部の両縁部からは発光素子及び受光素子の端子３１ｃがそれぞれ外方に複数本突き出している。
【００１６】
また、本体３１ａの前面に取り付けたホログラム素子３１ｂは、発光素子から出射されたレーザ光を透過し、光ディスクからの戻り光を受光素子に導くようになっている。そして、投受光素子３１は、その本体３１ａの下部側がホルダー３２のほぼ中央に設けた方形状の貫通孔３２ａ挿通され、また、ホルダー３２の上面に設けたＦＰＣ基板３３に形成した回路パターンのランド部（図示せず）に端子３１ｃがハンダ付けされることによって、ホルダー３２に保持されている。
【００１７】
また、ホルダー３２の長手方向の両縁部には、キャリッジ２１の第１、第２の側壁部２１ｄ、２１ｅに形成した凸部２１ｒ、２１ｒとそれぞれ隙間を設けて係合する凹部３２ｂ、３２ｂが形成されている。さらに、ホルダー３２の短手方向の両縁部のうち第３の折曲片２１ｑ、２１ｑ側の縁部の両側にはＶ字状の切欠部３２ｃ、３２ｃが形成されている。この切欠部３２ｃ、３２ｃを利用し、ホルダー３２を挟持して、後述する投受光素子３１の姿勢調整を行うようになっている。この姿勢調整が完了した後に、ホルダー３２は、その凹部３２ｂ、３２ｂと前記凸部２１ｒ、２１ｒとが、樹脂接着剤あるいはハンダ付けなどにより接合されることによってキャリッジ２１に取付固定される。
【００１８】
このように構成された光ピックアップ装置２０において、ＣＤ用の投受光素子３１から出射したレーザ光は、ビームスプリッター３０に形成したダイクロイック膜で反射し、反射したレーザ光はコリメータレンズ２３を透過し反射ミラー２４に入射し、反射ミラー２４で略９０度上方に偏向し、対物レンズ２２ａに入射する。そして、対物レンズ２２ａでレーザ光は図示しない光ディスク（ＣＤ）面に最適なスポットとなるように集光される。一方、ＤＶＤ用の投受光素子２５から出射したレーザ光はビームスプリッター３０に形成したダイクロイック膜を透過し、透過したレーザ光はＣＤの場合と同様の光路を辿り、対物レンズ２２ａで図示しない光ディスク（ＤＶＤ）面に最適なスポットとなるように集光される。
【００１９】
このように、ビームスプリッター３０はＣＤ／ＤＶＤ用の投受光素子３１、２５から出射した双方の波長の異なるレーザ光をコリメータレンズ２３方向の同一光路に導く働きをするものである。そして、投受光素子３１、２５から出射した双方のレーザ光の光路が略一致するように投受光素子３１側を姿勢調整するようになっている。
【００２０】
以下、投受光素子３１の姿勢調整について図８、９を用いて説明する。図８は投受光素子３１の姿勢調整を説明するための説明図、図９は図８における９−９一部断面図である。
【００２１】
まず、図８、９に示すように、投受光素子３１が搭載されたホルダー３２は治具であるアーム部材４０、４１によってキャリッジ２１の上方から保持されるようになっている。アーム部材４０の先端部には所定の間隔で配置した２つの円錐台状の爪部４０ａ、４０ａを形成してある。また、アーム部材４１の先端部には図中ｙ方向で前記爪部４０ａ、４０ａ間のほぼ中央の位置に爪部４１ａを形成してある。
【００２２】
そして、爪部４０ａ、４０ａがそれぞれホルダー３２に形成した切欠部３２ｃ、３２ｃに、爪部４１ａがホルダー３２の切欠部３２ｃ、３２ｃとは反対側の縁部の中央部にそれぞれ当接するように、アーム部材４１を図中矢印Ａと反対側に開いた位置からＡ方向に移動させ、図９に示すようにアーム部材４０、４１によってホルダー３２をガタなく挟持する。
【００２３】
この状態では、アーム部材４０は予め所定の初期位置にセットされており、ホルダー３２に形成したＶ字状の切欠部３２ｃ、３２ｃに爪部４０ａ、４０ａが嵌合するようになっているので、また、ホルダー３２の上面が９に示すようにアーム部材４０、４１の下面に押圧される用になっているので、ホルダー３２を治具にセットするだけで、ホルダー３２のｘ、ｙ、θ方向の初期位置、及び図９中の高さＨ方向の初期位置が合せられるようになっている。そして、アーム部材４０、４１を操作して、図８中のｘ、ｙ方向の位置調整およびθ方向の回転調整を行い、また、図９中のＨ方向の高さ位置調整を行うようになっている。
【００２４】
投受光素子３１を最適位置に調整した後は、上述したように、ホルダー３２はキャリッジ２１に取付固定される。
【００２５】
【発明が解決しようとする課題】
このような構成の従来の光ピックアップ装置２０においては、投受光素子３１の姿勢調整のために、治具であるアーム部材４０、４１をキャリッジ２１の上方からホルダー３２の短手方向の両側を挟持するようにしていたため、アーム部材４０、４１がそれぞれＤＶＤ用の投受光素子２５、及びコリメータレンズ２３と対物レンズ２２ａに接近することになり、アーム部材４０、４１を各光学部材にぶつけて傷を付けないように慎重に配置しなければならず作業性が悪くなっていた。また、治具の大きさも各光学部材との間隔を設ける必要があるので制限され、治具設計の自由度が少なかった。
【００２６】
また、アーム部材４０、４１が各光学部材に接近しているため、投受光素子３１のｘ、ｙ、θ及びＨ方向の位置・回転調整ストロークが制限され、投受光素子３１からコリメータレンズ２３、反射ミラー２４、対物レンズ２２ａに至る光路長がさらに短くなった場合には、調整ストロークが十分に確保できなくなる問題点が発生する。したがって、小型の光ピックアップ装置になるほど従来の方法を採用することは難しくなっていた。
【００２７】
また、図７に示す投受光素子３１の端子３１ｃをハンダ付けしているＦＰＣ基板３３からはキャリッジ２１に設けた回路基板（図示せず）と接続するためのケーブル（図示せず）が配線されているのであるが、治具をセッティングする前ではこのケーブルの弾性によりホルダー３２がキャリッジ２１から浮き上がって位置が定まりにくく、時にはホルダー３２が他の部材に接触し傷つけてしまう問題があった。これを解決するためにホルダー３２を上方からキャリッジ２１に補助的に押さえ付けるための例えば押えバネを配設していたが、別部品が必要となり、コストが増大した。
【００２８】
また、図９に示すように、アーム部材４０、４１でホルダー３２を挟持して投受光素子３１のＨ方向の高さ位置調整をするときに、ホルダー３２の上方への位置規制がされていないため、位置調整中に最適位置が見つからない場合には、ホルダー３２を上方へ移動させすぎてしまいムダな調整を行ってしまうことがあった。さらに、例えば、光ディスクを再生しながら上記調整を行っているときにはアーム部材４０、４１を光ディスクにぶつけてしまうおそれがあった。そのため、調整作業を慎重に行う必要があり作業性が悪くなっていた。
【００２９】
また、ホルダー３２のキャリッジ２１へ取付固定するときに、図７に示すホルダー３２に形成した凹部３２ｂ、３２ｂと、キャリッジの側壁部２１ｄ、２１ｅの上端部にそれぞれ形成した凸部２１ｒ、２１ｒとを接合して固着するようにしていたが、それら固着部付近には各光学部材が近接しており、これらの部材に触れないように慎重に固着作業を行わなければならなかったので作業性が悪くなっていた。特に、上記固着をハンダ付けで行う場合には、ハンダから発生したガスが周囲の光学部材等の部材に付着しないように作業をする必要があり作業性がさらに悪くなっていた。また、ハンダ付けのためのハンダゴテ等を各光学部材に近づけないようにさらに慎重に作業する必要があり、作業性がさらに悪くなっていた。
【００３０】
本発明の目的は、光学素子が載置された載置部材をキャリッジに取付固定する際の作業性を向上でき、コストを低減できる光ピックアップ装置及びその組み立て方法を提供することにある。
【００３１】
【課題を解決するための手段】
上記課題を解決するための第１の解決手段として、底板部と該底板部から立設した互いに対向する一対の側壁部を有するキャリッジと、前記キャリッジに固着され、発光素子と受光素子の少なくとも一方を有する光学素子を載置する載置部材とを備え、一対の前記側壁部には切欠部が形成されると共に、前記載置部材には一対の腕部が設けられ、前記載置部材の前記腕部は、前記両側壁部からそれぞれ外方へ延出した状態で、前記切欠部に挿通されると共に、前記腕部は、前記切欠部で前記底板部の板面と直交する方向への移動が所定の範囲内で規制されるようにしたことを特徴とするものである。
【００３２】
さらに、第２の解決手段として、前記切欠部は、前記底板部と直交する縦切欠溝と前記底板部と略平行な方向の横切欠溝で形成されたＬ字状の切欠溝で構成され、前記縦切欠溝に挿入された前記腕部は、前記横切欠溝に沿ってスライド動作によって挿入されるようにしたことを特徴とするものである。
【００３３】
さらに、第３の解決手段として、前記腕部は前記底板部と略平行に延出すると共に、前記腕部の先端部は弧状であることを特徴とするものである。
【００３４】
さらに、第４の解決手段として、前記載置部材には固着部を設け、前記底板部には挿通孔が形成され、該挿通孔に前記固着部を挿通し、前記底板部に前記側壁部とは反対側である裏面側から臨出した前記固着部を前記裏面側に固着したことを特徴とするものである。
【００３５】
さらに、第５の解決手段として、前記固着部は金属製であると共に、前記裏面側には回路基板が取付固定され、該回路基板には前記固着部が挿通する貫通孔が形成され、前記回路基板から露出した前記固着部を前記回路基板面にハンダ付けしたことを特徴とするものである。
【００３６】
さらに、第６の解決手段として、前記挿通孔の前記側壁部に沿った孔長さは、前記貫通孔の孔長さよりも長くしたことを特徴とするものである。
【００３７】
さらに、第７の解決手段として、前記キャリッジは板金からなり、前記側壁部は前記キャリッジの一部を折り曲げた折曲片であることを特徴とするものである。
【００３８】
さらに、第８の解決手段として、請求項１から７の何れかに記載の光ピックアップ装置を備え、前記両側壁部よりも前記キャリッジの外方に延出した前記腕部を治具で挟持して、前記載置部材の位置調整をした後、前記載置部材を前記キャリッジに固着することを特徴とするものである。
【００３９】
さらに、第９の解決手段として、前記治具にはＶ字溝が設けられ、前記両腕部の前記先端部に設けられた前記弧状は、前記両腕部の両側に配置された前記治具の前記Ｖ字溝に突き当てられて、２つの前記治具間で挟持されたことを特徴とするものである。
【００４２】
【発明の実施の形態】
本発明の実施の形態である光ピックアップ装置について、図１乃至図６の図面を用いて以下に説明する。
【００４３】
図１は本発明の実施の形態である光ピックアップ装置１００の一部分解斜視図、図２、図３は光ピックアップ装置１００の斜視図、図４は投受光素子１３１の姿勢調整を説明するための説明図、図５は図４における５−５一部断面図、図６は投受光素子１３１の姿勢調整を説明するための説明図である。
【００４４】
光ピックアップ装置１００は、図１に示すように、主に、キャリッジ１２４と、対物レンズ１２２ａを備えた二軸アクチュエータ１２２と、ビームスプリッター２００と、コリメータレンズ１４５と、反射ミラー１６０と、対物レンズ１２２ａにビームスプリッター２００、コリメータレンズ１４５及び反射ミラー１６０を通じてレーザ光を出射し対物レンズ１２２ａからの戻り光を入射する光学素子すなわちＣＤ用及びＤＶＤ用のそれぞれ投受光素子１３１、１２５と、投受光素子１３１を載置する載置部材すなわちホルダー１３２とから構成されている。
【００４５】
キャリッジ１２４は板金からなり、湾曲部１２４ａと突出部１２４ｂとを一部有する略長方形をした底板部１２６ａと、底板部１２６ａの長手方向の両縁に沿ってキャリッジ１２４の一部を折り曲げてそれぞれ対向立設させた折曲片すなわち側壁部１２６ｂ、１２６ｃと、突出部１２４ｂの先端部より底板部１２６ａの長手方向に沿って折り曲げて立設した側壁部１２９と、側壁部１２６ｂ及び１２９と連結するように底板部１２６ａの湾曲部１２４ａに沿って立設した側壁部１７０と、側壁部１２６ｂと１２６ｃとの間を橋絡させるように底板部１２６ａから立設させた側壁部１７１から主に構成されている。
【００４６】
また、側壁部１２６ｂ、１２６ｃの一端は、底板部１２６ａから突き出ており、その先端には、それぞれ、切欠溝１２８ａ、１２８ｂが形成されている。
【００４７】
また、側壁部１２６ｃにおける切欠溝１２８ｂを形成した端部とは反対側の端部と、側壁部１２９には、貫通した丸孔１３０、１３０がそれぞれ形成されていて、丸孔１３０、１３０の内径は図示しない１つのシャフト棒によって挿通される大きさにそれぞれ形成されている。
【００４８】
そして、底板部１２６ａの略中央部には、略方形状の第１の開口部１３６が形成されていて、この第１の開口部１３６の底板部１２６ａの長手方向と平行な縁部には、対向立設された二対の切り起こし片１３８、１３８及び１３８′、１３８′が形成されており、それらの対向面はそれぞれ側壁面１３８ｂ、１３８ｂ及び１３８′ｂ、１３８′ｂとなっている。さらに、切り起こし片１３８、１３８には、この側壁面１３８ｂ、１３８ｂの外方隅部を斜めにカットしてなる傾斜部１３８ａ、１３８ａが設けられている。
【００４９】
そして、切り起こし片１３８、１３８の側壁面１３８ｂ、１３８ｂ間に後述するミラー１６０が配置され取付固定されるようになっている。
【００５０】
また、切り起こし片１３８′、１３８′の側壁面１３８′ｂ、１３８′ｂ間には後述するコリメータレンズ１４５が配置され取付固定されるようになっている。
【００５１】
一方、底板部１２６ａにおいて第１の開口部１３６と側壁部１７１側に隣接した位置には、Ｈ字形状をした第２の開口部１３７が形成されていて、この第２の開口部１３７の底板部１２６ａの長手方向と平行な縁部には、対向立設された一対の切り起こし片１３９、１３９が形成され、その対向面は側壁面１３９ｂ、１３９ｂとなっている。さらに、切り起こし片１３９、１３９には、この側壁面１３９ｂ、１３９ｂの外方隅部を斜めにカットしてなる傾斜部１３９ａ、１３９ａが設けられている。
【００５２】
そして、切り起こし片１３９、１３９の側壁面１３９ｂ、１３９ｂ間に後述するビームスプリッター２００が配置され取付固定されるようになっている。
【００５３】
また、底板部１２６ａに形成した第２の開口部１３７の両側の位置における側壁部１２６ｂ、１２６ｃの上端部にはそれぞれ図中上方から下方へ切り欠いた凹状溝１２６ｂ″、１２６ｃ″と、これら凹状溝１２６ｂ″、１２６ｃ″の下部側において第１の開口部１３６側から水平方向に切り込んだ切欠部すなわち切欠溝１２６ｂ′、１２６ｃ′とが形成されている。さらに、底板部１２６ａの縁部側で、第２の開口部１３７の前記切欠溝１２６ｂ′、１２６ｃ′方向の両側には挿通孔１２６ａ′、１２６ａ′が形成されている。なお、これら挿通孔１２６ａ′、１２６ａ′は底板部１２６ａの長手方向で、前記凹状溝１２６ｂ″、１２６ｃ″の位置から切欠溝１２６ｂ′、１２６ｃ′とは反対側の方向へ延びた長孔形状となっている。
【００５４】
一方、図２、図３に示すように、キャリッジ１２４の底板部１２６ａの裏面側と側壁部１２６ｃの外側には、それらをほぼ覆う回路基板１８０が取付固定されるようになっている。そして、図２に示すように、底板部１２６ａの裏面側では、底板部１２６ａに形成した挿通孔１２６ａ′、１２６ａ′（図１参照）間の内側でネジ１８１、１８１によって前記回路基板１８０がネジ止めされる。また、回路基板１８０の前記挿通孔１２６ａ′、１２６ａ′とそれぞれほぼ重なる位置で、これら挿通孔１２６ａ′、１２６ａ′よりも側壁部１２６ｂ、ｃに形成した切欠溝１２６ｂ′、ｃ′側に短い孔形状を有する貫通孔１８０ａ、１８０ａが形成されている。また、回路基板１８０の表面で、貫通孔１８０ａ、１８０ａのネジ１８１、１８１側の縁部にはそれぞれランド部１８０ｂ、１８０ｂが形成されている。
【００５５】
次に、図１に示すコリメータレンズ１４５は投受光素子１２５、１３１より出射されたレーザ光の出射角度を略平行光にするためのレンズであり、切り起こし片１３８′、１３８′の側壁面１３８′ｂ、１３８′ｂ間に所定の位置となるように配置され、好ましくは紫外線硬化タイプの樹脂接着剤等の接着剤を用いて固着される。
【００５６】
次に、反射ミラー１６０は、投受光素子１２５、１３１よりビームスプリッター２００及びコリメータレンズ１４５を介して入射したレーザ光を対物レンズ１２２ａの光軸方向に略９０度角度を変えて反射させるものである。反射ミラー１６０は底板部１２６ａ面に対して略４５度の角度をなして切り起こし片１３８、１３８の側壁面１３８ｂ、１３８ｂ間に所定の位置となるように配置され、好ましくは紫外線硬化タイプの樹脂接着剤等の接着剤を用いて固着される。
【００５７】
また、ビームスプリッター２００は、三角柱状の光学ガラス又は樹脂を２個貼り合わせて直方体状に構成した光学部材である。貼り合わせ面２００ａには波長選択機能を有する光学薄膜（ダイクロイック膜）が積層コーティングされている。このダイクロイック膜は、ＣＤ用のレーザ光を反射し、ＣＤよりも波長の短いＤＶＤ用のレーザ光を透過するように形成されている。そして、このビームスプリッター２００は、コリメータレンズ１４５の光軸上に位置するように、キャリッジ１２４に形成した切り起こし片１３９、１３９の側壁面１３９ｂ、１３９ｂ間に所定の位置となるように配置され、好ましくは紫外線硬化タイプの樹脂接着剤等の接着剤を用いて固着される。
【００５８】
次に、二軸アクチュエータ１２２は、主に、二軸ベース（図示せず）と、この二軸ベースに固定した取付部１２２ｃと、対物レンズ１２２ａを有するレンズホルダー１２２ｅと、このレンズホルダー１２２ｅに一体化したヨーク１２２ｆとから構成されている。そして、取付部１２２ｃには４本のサスペンションワイヤー１２２ｄの一方の端部が固定され、他方の端部はレンズホルダー１２２ｅに固定されることによって、レンズホルダー１２２ｅは取付部１２２ｃに対して可撓性をもって保持されるようになっている。
【００５９】
また、前記二軸ベースがキャリッジ１２４の底板部１２６ａに固着されることによって、二軸アクチュエータ１２２はキャリッジ１２４に取付固定されている。
【００６０】
次に、ＤＶＤ用の投受光素子１２５には本体１２５ａと、この本体１２５ａと一体的に組み立てた鍔状のステム部１２５ｂが形成されていて、この本体１２５ａ内には図示しないレーザダイオードなどの発光素子及びフォトダイオードなどの受光素子が主に収納されている。さらに、ステム部１２５ｂの後部には発光素子及び受光素子等の複数の端子からなる端子部１２５ｃが外方（図１中、手前向き）に突き出している。
【００６１】
また、本体１２５ａの前面には、発光素子から出射されたレーザ光を透過し、光ディスクからの戻り光を受光素子に導くためのホログラム素子１２５ｄが固着されている。そして、投受光素子１２５はそのステム部１２５ｂが側壁部１７１に設けた該ステム部１２５ｂと同形状の貫通孔に圧入されることによって、側壁部１７１に取付固定されている。
【００６２】
次に、ＣＤ用の投受光素子１３１は、方形状の本体１３１ａと、この本体１３１ａの前面（図中下面側）に取り付けたホログラム素子１３１ｂから構成されており、この本体１３１ａ内には図示しないレーザダイオードなどの発光素子及びフォトダイオードなどの受光素子が主に収納されている。さらに、本体１３１ａの図中上部側の両縁部からは発光素子及び受光素子等の端子１３１ｃがそれぞれ外方に複数本突き出している。
【００６３】
また、本体１３１ａの前面に取り付けたホログラム素子１３１ｂは、発光素子から出射されたレーザ光を透過し、光ディスクからの戻り光を受光素子に導くようになっている。そして、投受光素子１３１は、後述するホルダー１３２に搭載される。
【００６４】
ホルダー１３２は板金からなり、略方形状のベース部１３２ａと、このベース部１３２ａの１つの縁部に沿ってベース部１３２ａの両側に延出形成した腕部すなわち挟持部１３２ｂ、１３２ｂと、挟持部１３２ｂ、１３２ｂの延出方向側のベース部１３２ａの両縁部から下方に折り曲げた折曲片１３２ｃ、１３２ｃと、挟持部１３２ｂ、１３２ｂの延出方向と直交する方向のベース部１３２ａの両縁部から下方へ折り曲げて折曲片１３２ｃ、１３２ｃよりも短く形成した折曲片１３２ｄ、１３２ｄとから構成されている。また、挟持部１３２ｂ、１３２ｂの先端部１３２ｂ′、１３２ｂ′は弧状すなわち先端方向に凸である円弧状に形成してある。なお、折曲片１３２ｄ、１３２ｄは、ベース部１３２ａの剛性を高めるための補強部となっている。また、詳細は後述するが、挟持部１３２ｂ、１３２ｂの厚さはキャリッジ１２４の側壁部１２６ｂ、１２６ｃにそれぞれ形成した切欠溝１２６ｂ′、１２６ｃ′の高さ方向の隙間よりも小さくなるように構成している。なお、ホルダー１３２の材質として、鉄、黄銅などを用いればよい。
【００６５】
また、ベース部１３２ａのほぼ中央には略小判状の貫通孔１３２ａ′が形成されている。また、折曲片１３２ｃ、１３２ｃの下方側は両外方にさらに折り曲げ形成されており、その下端部側には固着部１３２ｃ′、１３２ｃ′が形成されている。この固着部１３２ｃ′、１３２ｃ′の先端面の縁部には、図２に示すように、固着部１３２ｃ′、１３２ｃ′の対向面側にそれぞれくさび状切欠部１３２ｃ″、１３２ｃ″が形成されている。なお、固着部１３２ｃ′、１３２ｃ′はキャリッジ１２４に取付固定した回路基板１８０に形成した貫通孔１８０ａ、１８０ａよりも小さくなるように形成されている。さらに、ベース部１３２ａの貫通孔１３２ａ′を挟んだ対角位置には上方に突出した一対の円柱状の突起部１３２ａ″、１３２ａ″が形成されている。
【００６６】
一方、１３３は略方形状の補強板１３４により補強されたＦＰＣ基板であり、中央部には方形状の貫通孔１３３ａが形成されている。また、ＦＰＣ基板１３３の貫通孔１３３ａを挟んだ対角位置には一対の貫通小孔１３３ｂ、１３３ｂが形成され、この貫通小孔１３３ｂ、１３３ｂの周囲の表面には環状のランド部（図示せず）が形成されている。さらに、ＦＰＣ基板１３３からはキャリッジ１２４に取り付けた回路基板１８０と接続（接続状態は図示せず）するためのケーブル部１３３ｃが補強板１３４よりも突出するように形成されている。
【００６７】
そして、このＦＰＣ基板１３３の貫通孔１３３ａにＣＤ用の投受光素子１３１の本体１３１ａの下方部分が挿通され、また、各端子１３１ｃがＦＰＣ基板１３３の表面に形成した回路パターンのランド部（図示せず）にハンダ付けされることによって、投受光素子１３１はＦＰＣ基板１３３に保持されている。なお、好ましくは投受光素子１３１の本体１３１ａと、ＦＰＣ基板１３３又は補強板１３４とを紫外線硬化タイプの樹脂接着剤等の接着剤で接合すると投受光素子１３１を確実にＦＰＣ基板１３３に固着できる。
【００６８】
そして、この投受光素子１３１が搭載されたＦＰＣ基板１３３は、その貫通小孔１３３ｂ、１３３ｂをホルダー１３２のベース部１３２ａに形成した突起部１３２ａ″、１３２ａ″にそれぞれ嵌合させ、貫通小孔１３３ｂ、１３３ｂの周囲に形成したランド部と凸部１３２ａ″、１３２ａ″とをハンダ付けすることによって、ホルダー１３２のベース部１３２ａに取付固定される。なお、ＦＰＣ基板１３３をベース部１３２ａの表面に樹脂接着剤を用いて貼り付け固定しても良い。
【００６９】
このように、組み立てられたホルダー３２を挟持して、後述する投受光素子１３１の姿勢調整を行うようになっている。この姿勢調整が完了した後に、ホルダー１３２は、その固着部１３２ｃ′、１３２ｃ′がキャリッジ１２４に取付固定した回路基板１８０にハンダ付けされ固着されることによって、キャリッジ１２４に取付固定されるようになっている。
【００７０】
このように構成された光ピックアップ装置１００において、ＣＤ用の投受光素子１３１から図１中下方向に出射したレーザ光は、ビームスプリッター２００に形成したダイクロイック膜で反射し、反射したレーザ光はコリメータレンズ１４５を透過し反射ミラー１６０に入射し、反射ミラー１６０で略９０度上方に偏向し、対物レンズ１２２ａに入射する。そして、対物レンズ１２２ａでレーザ光が絞り込まれるとともに、図示しない光ディスク（ＣＤ）面に最適なスポットが形成されるように対物レンズ１２２ａのフォーカシング及びトラッキング方向の位置制御が行われるようになっている。また、光ディスク面で反射した戻り光は再び対物レンズ１２２ａを透過し上記した光路の逆を辿って投受光素子１３１内の受光素子で受光され信号の再生等が行われる。
【００７１】
一方、ＤＶＤ用の投受光素子１２５から出射したレーザ光はビームスプリッター２００に形成したダイクロイック膜を透過し、透過したレーザ光はＣＤの場合と同様の光路を辿り、対物レンズ１２２ａに入射される。対物レンズ１２２ａはＣＤの場合と同様に図示しない光ディスク（ＤＶＤ）面に最適なスポットとなるように制御された動きをする。また、光ディスク面で反射した戻り光は再び対物レンズ１２２ａを透過し上記した光路の逆を辿って投受光素子１２５内の受光素子で受光され信号の再生等が行われる。
【００７２】
このように、ビームスプリッター２００はＣＤ／ＤＶＤ用の投受光素子１３１、１２５から出射した双方の波長の異なるレーザ光をコリメータレンズ１４５方向の同一光路に導く働きをするものである。そして、投受光素子１３１、１２５から出射した双方のレーザ光の光路が略一致するように投受光素子１３１側を姿勢調整するようになっている。
【００７３】
以下、投受光素子１３１の姿勢調整について説明する。
【００７４】
まず、図３に示すように、投受光素子１３１が搭載されたホルダー１３２は、その挟持部１３２ｂ、１３２ｂがそれぞれ凹状溝１２６ｂ″、１２６ｂｃ″に上方から配置され、このとき、図１に示すホルダー１３２に形成した固着部１３２ｃ′、１３２ｃ′はキャリッジ１２４の底板部１２６ａに形成した挿通孔１２６ａ′、１２６ａ′に挿通され底板部１２６ａの裏面側から突出する。次に、挟持部１３２ｂ、１３２ｂが切欠溝１２６ｂ′、１２６ｃ′内にスライドされて挿入されることによってホルダー１３２はキャリッジ１２４から外れないように大まかに位置決めされる。このとき、固着部１３２ｃ′、１３２ｃ′も挿通孔１２６ａ′、１２６ａ′内を切欠溝１２６ｂ′、１２６ｃ′側にスライドして挿通孔１２６ａ′、１２６ａ′の端部に移動する。さらに、この状態から図２に示すように、前記挿通孔１２６ａ′、１２６ａ′から突出した固着部１３２ｃ′、１３２ｃ′が回路基板１８０に形成した貫通孔１８０ａ、１８０ａに挿通されこの貫通孔１８０ａ、１８０ａから突出するように回路基板１８０がキャリッジ１２４に取付固定される。
【００７５】
そして、ホルダー１３２は図４に示すように治具すなわち調整用部材１４０、１４１によって保持されるようになっている。調整用部材１４０、１４１の先端部のほぼ中央には上面から下方にかけて切り欠いたそれぞれＶ字溝１４０ａ、１４１ａが形成されており、このＶ字溝１４０ａ、１４１ａのＶ字部分がホルダー１３２に形成した挟持部１３２ｂ、１３２ｂの円弧状の先端部１３２ｂ′、１３２ｂ′にそれぞれ当接するように、調整用部材１４０、１４１を図中矢印Ｂと反対側に開いた位置からＢ方向に移動させ、調整用部材１４０、１４１によってホルダー１３２をガタなく確実に挟持する。
【００７６】
この状態では、調整用部材１４０、１４１は所定の位置にセットされるようになっており、ホルダー１３２の挟持部１３２ｂ、１３２ｂに形成した円弧状の先端部１３２ｂ′、１３２ｂ′が、Ｖ字溝１４０ａ、１４１ａにＶ字の中央で嵌合し、また、図５に示すように挟持部１３２ｂ、１３２ｂがＶ字溝１４０ａ、１４１ａの内底面１４０ｂ、１４１ｂに載置されるようになっているので、ホルダー１３２を治具にセットするだけで、ホルダー１３２のｘ、ｙ、θ方向及び図６に示す高さＨ方向の初期位置が合せられるようになっている。なお、図５において、挟持部１３２ｂ、１３２ｂを内底面１４０ｂ、１４１ｂに押圧する押え部材（図示せず）を設けるようにしても良い。この場合は調整用部材１４０、１４１によるホルダー１３２の保持がより安定する効果が得られる。
【００７７】
なお、上述したように、ホルダー１３２の固着部１３２ｃ′、１３２ｃ′は、キャリッジ１２４の底板部１２６ａの裏面側に取付固定した回路基板１８０に形成した貫通孔１８０ａ、１８０ａよりも小さく形成してあるので（図２参照）、ホルダー１３２をキャリッジ１２４に対して図４に示すｘ、ｙ、θ方向に移動させることができるようになっている。
【００７８】
また、図６に示すように、調整用部材１４０、１４１（図６では図示せず）で挟持されたホルダー１３２の高さは、ホルダー１３２の挟持部１３２ｂの下面とキャリッジ１２４の側壁部１２６ｃ（１２６ｂ）に形成した切欠溝１２６ｃ′（１２６ｂ′）の下面との距離がＤ１となるように配置される。また、ホルダー１３２に設けたＦＰＣ基板１３３の上面と切欠溝１２６ｃ′（１２６ｂ′）の上面との距離はＤ３である。これらＤ１、Ｄ３の値は投受光素子１３１に合わせて決められた所定の調整範囲からそれぞれ最適値が決定される。
【００７９】
また、前記距離Ｄ１は、ビームスプリッター２００の上面と投受光素子１３１に固着したホログラム素子１３１ｂの下面との距離Ｄ２よりも小さく設定しているので、ホルダー１３１が切欠溝１２６′（１２６ｂ′）の下面に当接するまで移動してもホログラム素子１３１ｂの先端部をビームスプリッター２００にぶつけてしまう心配がなく、調整作業が容易にできる効果がある。
【００８０】
この状態から、調整用部材１４０、１４１を操作して、図４中のｘ、ｙ方向の位置調整およびθ方向の回転位置調整を行い、また、図６中のＨ方向の高さ位置調整を行うことによって、投受光素子１３１の姿勢調整を行うようになっている。調整方法としては、例えば、光ディスク（図示せず）を再生しながら、その再生信号が所定のレベルに達するように上記操作を行っていけばよい。
【００８１】
そして、投受光素子１３１を最適位置に調整した後は、図２に示すように、ホルダー１３２の固着部１３２ｃ′、１３２ｃ′が回路基板１８０に形成したランド部１８０ｂ、１８０ｂにそれぞれハンダ付け固着されることによって、ホルダー１３２はキャリッジ１２４に取付固定される。
【００８２】
なお、本実施の形態では投受光素子１３１の姿勢調整を図４、図６に示すｘ、ｙ、θ、Ｈ方向に行うようにしたが、これに限らず、例えば、θ、Ｈ方向のみに限定して行うようにしても良い。また、回路基板１８０にはホルダー１３２の固着部１３２ｃ″、１３２ｃ″を挿通するための貫通孔１８０ａ、１８０ａを設けたが、貫通孔１８０ａ、１８０ａの代わりに回路基板１８０の縁部を切り欠いた切欠部としてもよい。また、回路基板の縁部にランド部を設け、このランド部にホルダーの固着部をハンダ付けするようにしてもよい。
【００８３】
また、ホルダー１３２は金属板で形成したが、これに限らず、樹脂製であってもよい。このとき、固着部を鉄や黄銅などの金属片のインサート成形により金属製である構成とすることにより、回路基板へのハンダ付け固定が好適に行うことができる。
【００８４】
以上説明した光ピックアップ装置１００は、キャリッジ１２４の側壁部１２６ｃ、１２９にそれぞれ形成した丸孔１３０、１３０（図３参照）に図示しないシャフト棒が挿通され、また、側壁部１２６ｃの丸孔１３０とは反対側に設けた切欠溝１２８ｂが前記シャフト棒と平行に配設された他のシャフト棒よってスライド可能に支持されることによって、各シャフトに沿ってスライド可能に支持されるようになっている。
【００８５】
以上説明したように、本実施の形態によれば、図３に示すように、ホルダー１３２の挟持部１３２ｂ、１３２ｂは側壁部１２６ｂ、１２６ｃよりもキャリッジ１２４の外方に延出して形成されたので、ホルダー１３２をキャリッジ１２４の側壁部１２６ｂ、１２６ｃの外方から挟持することができ、キャリッジ１２４内のコリメータレンズ１４５や対物レンズ１２２ａなどの部材にぶつけないように配慮してホルダー１３２の姿勢調整を行う必要がなくなり、操作がし易く、作業性を向上できる。
【００８６】
また、図４に示すように、挟持部１３２ｂ、１３２ｂを挟持するための治具であるアーム部材１４０、１４１はキャリッジ１２４の側壁部１２６ｂ、１２６ｃの外方に配置できるので、治具の大きさに制限を受けることがなく、治具設計の自由度を向上できる。さらに、ホルダー１３２と他の部材が近接していても、ホルダー１３２の姿勢調整時のアーム部材１４０、１４１の調整ストロークに制限を受けることがないので、特に、光ピックアップ装置が小型である場合に本発明が好適に適用できる。
【００８７】
また、図３に示すように、側壁部１２６ｂ、１２６ｃには切欠溝１２６ｂ′、１２６ｃ′が形成され、切欠溝１２６ｂ′、１２６ｃ′に挟持部１３２ｂ、１３２ｂをスライドさせて挿入するようにしたので、ホルダー１３２のキャリッジ１２４への装着がし易く、また、ホルダー１３２に設けた挟持部１３２ｂ、１３２ｂを治具により挟持する前に、別部材でホルダー１３２をキャリッジ１２４に対して押さえつけておかなくても、ホルダー１３２を大まかに位置決めしておくことができ、ホルダー１３２がキャリッジ１２４から外れて他の部材を傷つけるようなことがなくなる。また、別部材が必要なくなるのでコストを低減できる。
【００８８】
さらに、挟持部１３２ｂ、１３２ｂが凹状溝１２６ｂ″、１２６ｃ″に配置され切欠溝１２６ｂ′、１２６ｃ′にスライドされて挿入されるときに、固着部１３２ｃ′、１３２ｃ′は該スライド動作中に挿通孔１２６ａ′、１２６ａ′内で切欠溝１２６ｂ′、１２６ｃ′側の端部に移動し、この状態で図２に示すように、前記挿通孔１２６ａ′、１２６ａ′よりもスライド方向に短く形成した貫通孔１８０ａ、１８０ａが固着部１３２ｃ′、１３２ｃ′に嵌合するように回路基板１８０がキャリッジ１２４の裏面側に取付固定されるので、固着部１３２ｃ′、１３２ｃ′の上記スライド方向への動きが規制され、それによって、ホルダー１３２のキャリッジ１２４からの外れがより確実に防止できる効果がある。
【００８９】
また、図６に示すように、挟持部１３２ｂ、１３２ｂは切欠溝１２６ｂ′、１２６ｃ′で図中Ｈ方向への移動が所定の範囲（上方へ距離Ｄ３、下方へ距離Ｄ１の範囲）内で規制されるようにしたので、ホルダー１３２のＨ方向へ高さ調整を行うときには、高さ方向の所定の範囲内でその移動が規制されるので、必要以上にホルダー１３２を移動させるムダがなくなり作業性を向上できる。また、例えば光ディスクを再生しながらホルダー１３２の高さ調整をする場合にホルダー１３２を上方へ移動させすぎて光ディスクにぶつけてしまうこともなくなる。
【００９０】
また、図２に示すように、キャリッジ１２４の底板部１２６ａの裏面側には回路基板１８０が取付固定され、回路基板１８０には底板部１２６ａに形成した挿通孔１２６ａ′、１２６ａ′とほぼ重なる位置で固着部１３２ｃ′、１３２ｃ′が挿通する貫通孔１８０ａ、１８０ａが形成され、回路基板１８０から突出した固着部１３２ｃ′、１３２ｃ′を回路基板１８０の表面に形成したランド部１８０ｂ、１８０ｂにハンダ付けしたので、ハンダ付けの際に熱容量の小さいランド部１８０ｂ、１８０ｂの温度を短時間に高温まで上昇させることができ、固着作業が早くなり作業性が向上する。また、ハンダから発生したガスがキャリッジ１２４内の部材に付着することもないので作業が容易となる。また、ハンダゴテ等がキャリッジ１２４内の部材に近づくことがなく作業がさらに容易にできる。
【００９１】
また、図２に示すように、固着部１３２ｃ′、１３２ｃ′の先端部には、ランド部１８０ｂ、１８０ｂと対向する位置にそれぞれくさび状切欠部１３２ｃ″、１３２ｃ″を形成したことにより、この先端部の熱容量を小さくすることができ上述したようにハンダ付けによる固着作業が早くでき作業性が向上する。また、くさび状切欠部１３２ｃ″、１３２ｃ″に溶融したハンダが流れ込んでハンダ溜まりとなるために固着部１３２ｃ′、１３２ｃ′とランド部１８０ｂ、１８０ｂとを補強して接合強度を増大させることができる。
【００９２】
また、図４に示すように、ホルダー１３２は両側壁部１２６ｂ、１２６ｃからそれぞれ外方へ延出する一対の挟持部１３２ｂ、１３２ｂを有しているので、両側壁部１２６ｂ、１２６ｃの外方からそれぞれの挟持部１３２ｂ、１３２ｂをアーム部材１４０、１４１によって挟持でき、ホルダー１３２を確実に保持することができ、作業性を向上できる。
【００９３】
また、挟持部１３２ｂ、１３２ｂの先端部１３２ｂ′、１３２ｂ′は円弧状であるので、この先端部１３２ｂ′、１３２ｂ′に嵌合するＶ字溝１４０ａ、１４１ａが形成されたアーム部材１４０、１４１で両挟持部１３２ｂ、１３２ｂを挟持するようにしているので、Ｖ字溝１４０ａ、１４１ａのほぼ中央に先端部１３２ｂ′、１３２ｂ′の位置が位置決めでき、したがって、キャリッジ１２４に対するホルダー１３２の初期位置を正確に合わせることができ作業性を向上できる。
【００９４】
さらに、キャリッジ１２４は板金からなり、側壁部１２６ｂ、１２６ｃはキャリッジ１２４の一部を折り曲げた折曲片であるので、安価な鉄板等を用いることができコストを低減できる。
【００９５】
なお、本発明の実施の形態においては、板金のキャリッジの場合について説明したが、これに限らず、アルミダイキャスト、亜鉛ダイキャスト、マグネシウム合金ダイキャスト等のダイキャスト成形やモールド等で形成したキャリッジの場合にも、本発明が適用できるものである。ただし、モールド等で形成した樹脂製キャリッジ等の場合でこのキャリッジにホルダーをハンダ付けするときには、キャリッジの底板部の裏面側に回路基板を設け、この回路基板面にホルダーの固着部をハンダ付けするか、またはキャリッジにインサート成形等により設けた金属片等にハンダ付けすることが好ましい。
【００９６】
【発明の効果】
以上説明したように、本発明によれば、底板部と該底板部から立設した側壁部を有するキャリッジと、発光素子と受光素子の少なくとも一方を有する光学素子を載置する載置部材とを備え、前記載置部材は前記側壁部側に配置されて前記キャリッジに固着されるとともに、前記載置部材には腕部が設けられ、前記腕部は前記側壁部よりも前記キャリッジの外方に延出して形成されたので、載置部材をキャリッジの側壁部の外方から保持することができ、キャリッジ内の部材にぶつけないように配慮して載置部材を保持する必要がなくなり、操作がし易く、作業性を向上できる。また、腕部を保持するための治具はキャリッジの側壁部の外方に配置できるので、治具の大きさに制限を受けることがなく、治具設計の自由度を向上できる。さらに、載置部材と他の部材が近接していても、載置部材の位置調整を行う時の治具の調整ストロークに制限を受けることがないので、特に、光ピックアップ装置が小型である場合に本発明が好適に適用できる。
【００９７】
さらに、側壁部は互いに対向するように底板部から立設した一対の側壁部であるとともに、載置部材は前記両側壁部からそれぞれ外方へ延出する一対の腕部を有したので、両側壁部の外方からそれぞれの腕部を挟持でき、載置部材をより確実に保持することができ、作業性を向上できる。
【００９８】
さらに、側壁部には切欠部が形成され、該切欠部に腕部を挿通するとともに、前記腕部は前記切欠部で底板部の板面と直交する方向への移動が所定の範囲内で規制されるようにしたので、載置部材に設けた腕部を保持する前に、別部材で載置部材をキャリッジに対して押さえつけておかなくても、載置部材を大まかに位置決めしておくことができ、載置部材がキャリッジから外れてしまい他の部材を傷つけるようなことがなくなる。また、別部材が必要なくなるのでコストを低減できる。また、載置部材を底板部面と直交する方向（高さ方向）へ移動させて位置調整するときには、高さ方向の所定の範囲内でその移動が規制されるので、必要以上に載置部材を移動させるムダがなくなり作業性を向上できる。また、例えば光ディスクを再生しながら載置部材の高さ方向の調整をする場合に載置部材を上方へ移動させすぎて光ディスクにぶつけてしまうこともなくなる。
【００９９】
さらに、切欠部は底板部と略平行な方向へ切り込んだ切欠溝であり、腕部は該切欠溝にスライド動作によって挿入されるようにしたので、腕部が切欠部に挿入し易くなり、作業性をより向上できる。
【０１００】
さらに、腕部は底板部とほぼ平行に延出しているとともに、該腕部の先端部は弧状であるので、この先端部に当接するＶ字溝が形成された治具を前記両腕部の両側に配置し、２つの治具の間で挟持するようにすれば、Ｖ字溝の間で両先端部の位置が確実に位置決めでき、キャリッジに対する載置部材の初期位置を正確に合わせることができ作業性をより向上できる。
【０１０１】
さらに、載置部材には固着部を設け、底板部には挿通孔が形成され、該挿通孔に前記固着部を挿通し、前記底板部の側壁部とは反対側である裏面側から臨出した前記固着部を前記裏面側に固着したので、キャリッジ内に設けた部材に触れてしまうことなく固着作業ができ作業性を向上できる。特に、前記の固着をハンダ付けで行う場合にはハンダから発生したガスがキャリッジ内の部材に付着することもないので作業が容易となる。また、ハンダゴテ等がキャリッジ内の部材に近づくことがなく作業がさらに容易にでき作業性をより向上できる。
【０１０２】
さらに、固着部は金属製であるとともに、裏面側には回路基板が取付固定され、該回路基板には前記固着部が挿通する貫通孔が形成され、前記回路基板から臨出した前記固着部を前記回路基板面にハンダ付けしたので、ハンダ付けの際に熱容量の小さい回路基板面の温度を短時間に高温まで上昇でき、固着作業が早くなり作業性がより向上する。
【０１０３】
さらに、挿通孔の側壁部に沿った孔長さは、貫通孔の孔長さよりも長くしたので、腕部が切欠溝にスライドされて挿入される場合には、固着部が挿通孔内で切欠溝側の端部に移動し、この状態で挿通孔よりも短く形成した貫通孔が固着部に嵌合するように回路基板がキャリッジの裏面側に取付固定されるので、固着部の動きが所定の範囲で規制され、それによって、載置部材のキャリッジからの外れがより確実に防止できる。
【０１０４】
さらに、キャリッジは板金からなり、側壁部は該キャリッジの一部を折り曲げた折曲片であるので、安価な板金を用いることができコストを低減できる。
【０１０５】
光ピックアップ装置の組み立て方法にあっては、底板部と該底板部から立設した側壁部を有するキャリッジと、発光素子と受光素子の少なくとも一方を有する光学素子を載置する載置部材とを備え、前記載置部材は前記側壁部側に配置され、前記載置部材には腕部が設けられ、前記腕部は前記側壁部よりも前記キャリッジの外方に延出し、前記側壁部よりも前記キャリッジの外方に延出した前記腕部を治具で挟持して、前記載置部材の位置調整をした後に、前記載置部材を前記キャリッジに固着するので、載置部材をキャリッジの側壁部の外方から治具で挟持することができ、キャリッジ内の部材に治具をぶつけないように配慮して載置部材を挟持する必要がなくなり、操作がし易く、作業性を向上できる。
【０１０６】
さらに、側壁部は互いに対向するように底板部から立設した一対の側壁部であり、載置部材は前記両側壁部からそれぞれ外方へ延出する一対の腕部を有するとともに、該両腕部の先端部は弧状とし、前記両腕部の両側に治具を配置し、該治具に設けたＶ字溝を前記両腕部の先端部に突き当て、２つの前記治具の間で挟持するので、Ｖ字溝の間で両先端部の位置が確実に位置決めでき、キャリッジに対する載置部材の初期位置を正確に合わせることができ作業性をより向上できる。
【図面の簡単な説明】
【図１】本発明の実施の形態である光ピックアップ装置１００の一部分解斜視図である。
【図２】本発明の実施の形態である光ピックアップ装置１００の斜視図である。
【図３】本発明の実施の形態である光ピックアップ装置１００の斜視図である。
【図４】本発明の実施の形態である光ピックアップ装置１００に係り、投受光素子１３１の姿勢調整を説明するための説明図である。
【図５】本発明の実施の形態である光ピックアップ装置１００に係り、図４における５−５一部断面図である。
【図６】本発明の実施の形態である光ピックアップ装置１００に係り、投受光素子１３１の姿勢調整を説明するための説明図である。
【図７】従来の光ピックアップ装置の斜視図である。
【図８】従来の光ピックアップ装置２０に係り、投受光素子３１の姿勢調整を説明するための説明図である。
【図９】従来の光ピックアップ装置２０に係り、図８における９−９一部断面図である。
【符号の説明】
１００  光ピックアップ装置
１２２  二軸アクチュエータ
１２２ａ  対物レンズ
１２４  キャリッジ
１２５、１３１  投受光素子
１２６ａ  底板部
１２６ｂ、１２６ｃ  側壁部
１２６ｂ′、１２６ｃ′  切欠溝
１２６ａ′  挿通孔
１４５  コリメータレンズ
１６０  反射ミラー
１３２  ホルダー
１３３  ＦＰＣ基板
１３２ｂ  挟持部
１４０、１４１  調整用部材（治具）
１４０ａ、１４１ａ  Ｖ字溝
１８０  回路基板
１８０ａ  貫通孔
２００  ビームスプリッター
【図１】
0003563004.tif 000002
【図２】
0003563004.tif 000003
【図３】
0003563004.tif 000004
【図４】
0003563004.tif 000005
【図５】
0003563004.tif 000006
【図６】
0003563004.tif 000007
【図７】
0003563004.tif 000008
【図８】
0003563004.tif 000009
【図９】
0003563004.tif 000010